(57)【要約】【課題】選択操作せずとも発信時に使用する自局番号の使い分けが可能な携帯無線端末を実現する。【解決手段】発信操作が行われると、ステップＳＡ３を介して自動番号抽出処理を実行する。自動番号抽出処理では、発信先の相手番号に対応付けられた自局番号がアドレス帳格納部１４ａに登録されていると、自局番号格納部１４ｂから該当する自局番号を抽出する。そして、ステップＳＡ４を介して発信用自局番号設定処理を実行する。発信用自局番号設定処理では、自動番号抽出処理にて抽出された自局番号と発信用自局番号格納部１４ｃに格納される発信用自局番号とが一致すれば、その抽出された自局番号を発信用自局番号に設定する。ステップＳＡ５では、設定された発信用自局番号を使用して相手番号に発信するので、発信の都度、自局番号を選択する操作を行わなくとも発信時に使用する自局番号を使い分けることができる。【選択図】図３
2007221281.tif 000002
【特許請求の範囲】
【請求項１】
複数の自局番号を選択的に使用する携帯無線端末において、
相手番号と自局番号とを対応付けた番号情報を記憶する番号情報記憶手段と、
相手番号に発信指示する発信指示手段と、
前記番号情報記憶手段に記憶される番号情報の中から前記発信指示手段が発信指示した相手番号に対応付けられた自局番号を検索する検索手段と、
前記検索手段により検索された自局番号を使用して前記発信指示手段が発信指示した相手番号に発信する発信手段と
を具備することを特徴とする携帯無線端末。
【請求項２】
複数の自局番号を記憶する自局番号記憶手段と、
前記番号情報記憶手段に記憶される番号情報の内に、前記発信指示手段が発信指示した相手番号に対応付けられた自局番号が存在しなければ、前記自局番号記憶手段に記憶される複数の自局番号のいずれかを選択する選択手段と、
前記発信指示手段が発信指示した相手番号と前記選択手段により選択された自局番号とを対応付けた番号情報を前記番号情報記憶手段に登録する番号情報登録手段と、
前記選択手段により選択された自局番号を使用して前記発信指示手段が発信指示した相手番号に発信する発信手段と、
をさらに具備することを特徴とする請求項１記載の携帯無線端末。
【請求項３】
前記検索手段により検索された自局番号が前記自局番号記憶手段に記憶される複数の自局番号に含まれていなければ、前記番号情報記憶手段に記憶される番号情報の内、前記検索手段により検索された自局番号と同一の自局番号を、前記選択手段により選択された自局番号に更新登録する更新登録手段をさらに具備することを特徴とする請求項２記載の携帯無線端末。
【請求項４】
使用者によって指定された第２の自局番号を記憶する指定番号記憶手段と、
前記番号情報記憶手段に記憶される番号情報の内に、前記発信指示手段が発信指示した相手番号に対応付けられた自局番号が存在しなければ、前記発信指示手段が発信指示した相手番号と前記指定番号記憶手段に記憶される第２の自局番号とを対応付けた番号情報を前記番号情報記憶手段に登録する番号情報登録手段と、
前記指定番号記憶手段に記憶される第２の自局番号を使用して前記発信指示手段が発信指示した相手番号に発信する発信手段と、
をさらに具備することを特徴とする請求項１記載の携帯無線端末。
【請求項５】
複数の自局番号を記憶する自局番号記憶手段と、
前記検索手段により検索された自局番号が前記自局番号記憶手段に記憶される複数の自局番号に含まれていなければ、前記番号情報記憶手段に記憶される番号情報の内、前記検索手段により検索された自局番号と同一の自局番号を、前記指定番号記憶手段に記憶される第２の自局番号に更新登録する更新登録手段と
をさらに具備することを特徴とする請求項４記載の携帯無線端末。
【請求項６】
自局番号と、当該自局番号を記録した記録媒体を指定するスロット番号とを対応付けて記憶する記憶手段を備え、この記憶手段に記憶される自局番号とスロット番号との対応関係を参照して自局番号をスロット番号で識別することを特徴とする請求項１乃至５のいずれかに記載の携帯無線端末。
【請求項７】
複数の自局番号を選択的に使用する携帯無線端末の処理プログラムであって、
相手番号と自局番号とを対応付けた番号情報を記憶する番号情報記憶処理と、
相手番号に発信指示する発信指示処理と、
前記番号情報記憶処理にて記憶された番号情報の中から前記発信指示処理が発信指示した相手番号に対応付けられた自局番号を検索する検索処理と、
前記検索処理により検索された自局番号を使用して前記発信指示処理が発信指示した相手番号に発信する発信処理と
をコンピュータで実行させることを特徴とする携帯無線端末の処理プログラム。
【発明の詳細な説明】
【技術分野】
【０００１】
本発明は、複数備える自己の電話番号を選択的に使用する携帯無線端末および携帯無線端末の処理プログラムに関する。
【背景技術】
【０００２】
ＵＩＭ（User Identity Module）カードに自己の電話番号を複数登録しておき、それらの内からユーザ操作で選択される電話番号を用いて通信する携帯無線端末が提案されており、この種の携帯無線端末については、例えば特許文献１に開示されている。
【０００３】
【特許文献１】特開平５−２８４１０３号公報
【発明の開示】
【発明が解決しようとする課題】
【０００４】
ところで、複数備える自己の電話番号（以下、自局番号と称す）を選択的に使用する携帯無線端末では、例えば仕事用や私用などの用途別に自己の電話番号を使い分ける必要が生じる。この為、例えば一度通話した相手との通信には前回通話時と同じ自局番号を選択する等、発信の都度、自局番号を選択しなければならず、その操作が煩わしくなるという問題がある。
【０００５】
本発明は、このような事情に鑑みてなされたもので、選択操作せずとも発信時に使用する自局番号を使い分けることができる携帯無線端末および携帯無線端末の処理プログラムを提供することを目的としている。
【課題を解決するための手段】
【０００６】
上記目的を達成するため、請求項１に記載の発明では、複数の自局番号を選択的に使用する携帯無線端末において、相手番号と自局番号とを対応付けた番号情報を記憶する番号情報記憶手段と、相手番号に発信指示する発信指示手段と、前記番号情報記憶手段に記憶される番号情報の中から前記発信指示手段が発信指示した相手番号に対応付けられた自局番号を検索する検索手段と、前記検索手段により検索された自局番号を使用して前記発信指示手段が発信指示した相手番号に発信する発信手段とを具備することを特徴とする。
【０００７】
上記請求項１に従属する請求項２に記載の発明では、複数の自局番号を記憶する自局番号記憶手段と、前記番号情報記憶手段に記憶される番号情報の内に、前記発信指示手段が発信指示した相手番号に対応付けられた自局番号が存在しなければ、前記自局番号記憶手段に記憶される複数の自局番号のいずれかを選択する選択手段と、前記発信指示手段が発信指示した相手番号と前記選択手段により選択された自局番号とを対応付けた番号情報を前記番号情報記憶手段に登録する番号情報登録手段と、前記選択手段により選択された自局番号を使用して前記発信指示手段が発信指示した相手番号に発信する発信手段とをさらに具備することを特徴とする。
【０００８】
上記請求項２に従属する請求項３に記載の発明では、前記検索手段により検索された自局番号が前記自局番号記憶手段に記憶される複数の自局番号に含まれていなければ、前記番号情報記憶手段に記憶される番号情報の内、前記検索手段により検索された自局番号と同一の自局番号を、前記選択手段により選択された自局番号に更新登録する更新登録手段をさらに具備することを特徴とする。
【０００９】
上記請求項１に従属する請求項４に記載の発明では、使用者によって指定された第２の自局番号を記憶する指定番号記憶手段と、前記番号情報記憶手段に記憶される番号情報の内に、前記発信指示手段が発信指示した相手番号に対応付けられた自局番号が存在しなければ、前記発信指示手段が発信指示した相手番号と前記指定番号記憶手段に記憶される第２の自局番号とを対応付けた番号情報を前記番号情報記憶手段に登録する番号情報登録手段と、前記指定番号記憶手段に記憶される第２の自局番号を使用して前記発信指示手段が発信指示した相手番号に発信する発信手段とをさらに具備することを特徴とする。
【００１０】
上記請求項４に従属する請求項５に記載の発明では、複数の自局番号を記憶する自局番号記憶手段と、前記検索手段により検索された自局番号が前記自局番号記憶手段に記憶される複数の自局番号に含まれていなければ、前記番号情報記憶手段に記憶される番号情報の内、前記検索手段により検索された自局番号と同一の自局番号を、前記指定番号記憶手段に記憶される第２の自局番号に更新登録する更新登録手段とをさらに具備することを特徴とする。
【００１１】
上記請求項１乃至５のいずれかに従属する請求項６に記載の発明では、自局番号と、当該自局番号を記録した記録媒体を指定するスロット番号とを対応付けて記憶する記憶手段を備え、この記憶手段に記憶される自局番号とスロット番号との対応関係を参照して自局番号をスロット番号で識別することを特徴とする。
【００１２】
請求項７に記載の発明では、複数の自局番号を選択的に使用する携帯無線端末の処理プログラムであって、相手番号と自局番号とを対応付けた番号情報を記憶する番号情報記憶処理と、相手番号に発信指示する発信指示処理と、前記番号情報記憶処理にて記憶された番号情報の中から前記発信指示処理が発信指示した相手番号に対応付けられた自局番号を検索する検索処理と、前記検索処理により検索された自局番号を使用して前記発信指示処理が発信指示した相手番号に発信する発信処理とをコンピュータで実行させることを特徴とする。
【発明の効果】
【００１３】
請求項１、７に記載の発明によれば、相手番号と自局番号とを対応付けた番号情報を記憶しておき、相手番号に発信指示すると、記憶される番号情報の中から発信指示した相手番号に対応付けられた自局番号を検索し、検索された自局番号を使用して相手番号に発信するので、発信の都度、自局番号を選択する操作が不要になり、選択操作せずとも発信時に使用する自局番号を使い分けることができる。
【００１４】
請求項２に記載の発明によれば、複数の自局番号を記憶しておき、記憶された番号情報の内に、発信指示した相手番号に対応付けられた自局番号が存在しなければ、複数の自局番号のいずれかを選択し、発信指示した相手番号と選択された自局番号とを対応付けた番号情報を登録し、選択された自局番号を使用して相手番号に発信するので、記憶された番号情報の内に、発信指示した相手番号に対応付けられた自局番号が存在しなくとも番号情報が更新され、次回以降の発信に際して、自局番号を選択する操作が不要になり、選択操作せずとも発信時に使用する自局番号を使い分けることができる。
【００１５】
請求項３に記載の発明によれば、検索された自局番号が複数の自局番号に含まれていなければ、記憶された番号情報の内、検索された自局番号と同一の自局番号を、選択された自局番号に更新登録するので、検索された自局番号が複数の自局番号に含まれていなくとも番号情報が更新され、次回以降の発信に際して、自局番号を選択する操作が不要になり、選択操作せずとも発信時に使用する自局番号を使い分けることができる。
【００１６】
請求項４に記載の発明によれば、使用者によって指定された自局番号を記憶しておき、記憶された番号情報の内に、発信指示した相手番号に対応付けられた自局番号が存在しなければ、発信指示した相手番号と指定された第２の自局番号とを対応付けた番号情報を登録し、指定された第２の自局番号を使用して相手番号に発信するので、記憶された番号情報の内に、発信指示した相手番号に対応付けられた自局番号が存在しなくとも番号情報が更新され、次回以降の発信に際して、自局番号を選択する操作が不要になり、選択操作せずとも発信時に使用する自局番号を使い分けることができる。
【００１７】
請求項５に記載の発明によれば、複数の自局番号を記憶しておき、検索された自局番号が複数の自局番号に含まれていなければ、記憶された番号情報の内、検索された自局番号と同一の自局番号を、使用者によって指定された自局番号に更新登録するので、検索された自局番号が複数の自局番号に含まれていなくとも番号情報が更新され、次回以降の発信に際して、自局番号を選択する操作が不要になり、選択操作せずとも発信時に使用する自局番号を使い分けることができる。
【００１８】
請求項６に記載の発明によれば、自局番号と、自局番号を記録した記録媒体を指定するスロット番号とを対応付けて記憶しておき、記憶される自局番号とスロット番号との対応関係を参照して自局番号をスロット番号で識別するので、
番号情報において自局番号の代わりにスロット番号を使用することが可能となる。自局番号よりもスロット番号の方が記憶させるためのメモリサイズが小さいため、番号情報の件数が多くなってもより小さなメモリサイズで済む。
【発明を実施するための最良の形態】
【００１９】
以下、図面を参照して本発明の実施の一形態について説明する。
Ａ．第１実施形態  
（１）構成  
図１は第１実施形態による携帯電話１００の構成を示すブロック図である。携帯電話１００は、例えば折畳み開閉タイプの本体構造を有し、その本体（図示せず）には、送受信用のアンテナ２、音声発生用のスピーカ３、カラー液晶パネル等から構成される表示部４、キー入力部５、音声入力用のマイク６、挿抜自在な記憶媒体（例えばＩＣカード）で構成され、自局番号を含む端末所有者の個人情報を記憶するＵＩＭカード７−１〜７−２、これらＵＩＭカード７−１〜７−２が装着されるカードスロットＳＬ１〜ＳＬ２、画像を撮像するカメラ８、着信報知するスピーカ９および振動によって着信通知するバイブレータ１０が設けられている。
【００２０】
キー入力部５には、各種専用スイッチと各種機能が割り当てられる機能スイッチとが設けられる。代表的な専用スイッチとして、パワーオンオフする電源スイッチ、通話開始／回線断時に操作されるオフフック／オンフックスイッチ等が設けられている。無線送受信部１１は、アンテナ２を介して受信した高周波信号を増幅して次段の無線信号処理部１２に出力する一方、無線信号処理部１２から出力される送信信号を高周波増幅してアンテナ２から送出する。
【００２１】
無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作、すなわち後述する「発信時処理」、「自局番号抽出処理」、「発信用自局番号抽出処理」、「アドレス帳更新処理」および「発信用自局番号切替処理」の各動作については追って詳述する。
【００２２】
加入者情報記憶部１４は、図２に図示するように、アドレス帳格納部１４ａ、自局番号格納部１４ｂ、発信用自局番号格納部１４ｃおよび使用者指定自局番号格納部１４ｄから構成される。アドレス帳格納部１４ａには、相手の電話番号（以下、相手番号と称す）と、自局番号とを対応付けたアドレス帳データが記憶される。自局番号格納部１４ｂには、制御部１３がカードスロットＳＬ１（又はＳＬ２）を介してＵＩＭカード７−１（又は７−２）から読み出した自局番号が記憶される。発信用自局番号格納部１４ｃには、発信に使用する発信用自局番号が記憶される。使用者指定自局番号格納部１４ｄには、予め使用者が指定した自局番号（使用者指定自局番号）が記憶される。
【００２３】
システムＲＯＭ１５は、制御部１３によって実行されるプログラムの他、待受画面等を形成する各種画面データを記憶している。なお、制御部１３によって実行されるプログラムとは、後述する「発信時処理」、「自局番号抽出処理」、「発信用自局番号抽出処理」、「アドレス帳更新処理」および「発信用自局番号切替処理」を含む。メモリ１６は、制御部１３の処理に用いる各種レジスタ・フラグデータを一時記憶するワークエリア、メールアドレスや送受信メールを保存するメールエリアおよびカメラ８から供給される撮像データを保存する画像データエリアを備える。
【００２４】
音声信号処理部１７は、通話中の音声データを音声信号にＤ／Ａ変換してスピーカ３から発音させたり、マイク６から出力される音声信号を音声データにＡ／Ｄ変換して制御部１３に入力したりする。ドライバ１８は、カメラ８が備えるＬＥＤ（発光素子）、着信通知用のスピーカ９およびバイブレータ１０を駆動する。ドライバ１９は、制御部１３からの指示に従い表示部４を表示駆動する。カードスロットＳＬ１〜ＳＬ２は、ＵＩＭカード７−１〜７−２の装着の有無を表す信号を制御部１３に供給する。入出力インタフェース２１は、制御部１３の制御の下、ＵＳＢケーブルなどのシリアルインタフェースで接続される外部機器との間でデータ授受する。
【００２５】
（２）動作
次に、図３〜図７を参照して上記構成による携帯電話１００の制御部１３が実行する発信時処理、自局番号抽出処理、発信用自局番号設定処理、アドレス帳更新処理および発信用自局番号切替処理の各動作について説明する。
【００２６】
ａ．発信時処理の動作  
図３は、制御部１３が実行する発信時処理の動作を示すフローチャートである。先ず、ステップＳＡ１では、発信先の相手番号を指定するキー入力操作の有無を判断する。相手番号を指定するキー入力操作が行われると、判断結果が「ＹＥＳ」になり、ステップＳＡ２に進む。ステップＳＡ２では、オフフックスイッチ操作（発信操作）がなされるまで待機し、オフフックスイッチ操作に応じて判断結果が「ＹＥＳ」になり、ステップＳＡ３に進む。
【００２７】
ステップＳＡ３では、自局番号抽出処理を実行する。後述するように、自局番号抽出処理では、発信先の相手番号に対応付けられた自局番号がアドレス帳格納部１４ａに登録されていれば、自局番号格納部１４ｂから該当する自局番号を抽出し、一方、自局番号がアドレス帳格納部１４ａに登録されていなければ、アドレス帳（アドレス帳格納部１４ａ）の更新を指示すると共に、使用者が指定する自局番号もしくは自局番号格納部１４ｂからユーザ選択される自局番号のいずれかを抽出する。
【００２８】
続いて、ステップＳＡ４では、発信用自局番号設定処理を実行する、後述するように、発信用自局番号設定処理では、上記ステップＳＡ３の自局番号抽出処理にて抽出した自局番号と、発信用自局番号格納部１４ｃに格納される発信用自局番号とが異なると、その抽出した自局番号を発信用自局番号格納部１４ｃに記憶する。
【００２９】
そして、アドレス帳更新フラグが「１」の場合、すなわちステップＳＡを介して実行される自局番号抽出処理によって、使用者指定自局番号格納部１４ｄあるいは自局番号格納部１４ｂの内から自局番号が抽出された場合には、アドレス帳更新処理を実行し、相手番号がアドレス帳格納部１４ａに未登録であれば、発信用自局番号格納部１４ｂの自局番号を相手番号に対応付けてアドレス帳格納部１４ａに登録し、相手番号に対応付けて自局番号が登録済みならば、自局番号を発信用自局番号格納部１４ｃの自局番号に更新登録する。
【００３０】
この後、ステップＳＡ５に進み、上記ステップＳＡ４の発信用自局番号設定処理によって、発信用自局番号格納部１４ｃに格納される発信用自局番号を使用して網側に発信する。
【００３１】
ｂ．自局番号抽出処理の動作  
次に、図４を参照して自局番号抽出処理の動作を説明する。上述した発信時処理のステップＳＡ３（図３参照）を介して本処理が実行されると、制御部１３は、図４に図示するステップＳＢ１に処理を進め、使用者により指定された相手番号がアドレス帳格納部１４ａに登録されているか否かを判断する。相手番号がアドレス帳格納部１４ａに登録されていなければ、判断結果は「ＮＯ」になり、後述するステップＳＢ５に進む。
【００３２】
一方、使用者により指定された相手番号がアドレス帳格納部１４ａに登録されていると、上記ステップＳＢ１の判断結果は「ＹＥＳ」になり、ステップＳＢ２に進む。ステップＳＢ２では、アドレス帳格納部１４ａにおいて、相手番号に対応付けられた自局番号の有無を判断する。相手番号に対応付けられた自局番号が有ると、判断結果は「ＹＥＳ」になり、ステップＳＢ３に進む。相手番号に対応付けられた自局番号が無ければ、判断結果は「ＮＯ」になり、後述のステップＳＢ５に進む。
【００３３】
次いで、ステップＳＢ３では、使用者により指定された相手番号に対応付けられた自局番号が、自局番号格納部１４ｂに登録されているか否かを判断する。相手番号に対応付けられた自局番号が自局番号格納部１４ｂに登録されていると、判断結果は「ＹＥＳ」になり、ステップＳＢ４に進み、自局番号格納部１４ｂに登録されている自局番号を抽出して本処理を終える。
【００３４】
これに対し、相手番号に対応付けられた自局番号が自局番号格納部１４ｂに登録されていなければ、判断結果は「ＮＯ」になり、ステップＳＢ５に進む。ステップＳＢ５では、使用者指定の自局番号で発信する旨を表示部４に画面表示して使用者に報知する。続いて、ステップＳＢ６では、この報知に応じた使用者の指示（キー操作）があるまで待機する。そして、使用者がキー操作すると、判断結果が「ＹＥＳ」になり、ステップＳＢ７に進む。
【００３５】
ステップＳＢ７では、使用者のキー操作が実行指示であるかどうかを判断する。実行指示であった場合、つまり使用者指定の自局番号で発信する場合には、上記ステップＳＢ７の判断結果は「ＹＥＳ」になり、ステップＳＢ８に進み、アドレス帳更新フラグを「１」にセットする。次いで、ステップＳＢ９では、使用者指定の自局番号を使用者指定自局番号格納部１４ｄから抽出して本処理を終える。
【００３６】
一方、使用者のキー操作が実行指示でない場合、すなわち使用者指定の自局番号で発信しない場合には、上記ステップＳＢ７の判断結果が「ＮＯ」になり、ステップＳＢ１０に進む。ステップＳＢ１０では、自局番号格納部１４ｂに記憶される自局番号を読み出して表示部４に一覧表示する。次いで、ステップＳＢ４では、表示部４に一覧表示された自局番号の内のいずれかを使用者が選択するまで待機する。そして、使用者の選択指示に応じて、判断結果は「ＹＥＳ」になり、ステップＳＢ１２に進み、アドレス帳更新フラグを「１」にセットする。この後、ステップＳＢ１３に進み、選択された自局番号を抽出して本処理を終える。
【００３７】
このように、自局番号抽出処理では、発信先の相手番号に対応する自局番号がアドレス帳格納部１４ａに登録されていれば、自局番号格納部１４ｂから該当する自局番号を抽出する。一方、発信先の相手番号に対応する自局番号がアドレス帳格納部１４ａに登録されていない場合には、アドレス帳（アドレス帳格納部１４ａ）の更新を指示すると共に、使用者指定自局番号格納部１４ｄに記憶される自局番号もしくは自局番号格納部１４ｂの内から選択した自局番号のいずれかを抽出する。
【００３８】
ｃ．発信用自局番号設定処理の動作  
次に、図５を参照して発信用自局番号設定処理の動作を説明する。上述した発信時処理のステップＳＡ４（図３参照）を介して本処理が実行されると、制御部１３は、図５に図示するステップＳＣ１に処理を進め、自局番号抽出処理（図４参照）にて抽出した自局番号と、発信用自局番号格納部１４ｃに格納される発信用自局番号とが不一致であるか否かを判断する。一致していると、判断結果は「ＮＯ」になり、後述のステップＳＣ３に進む。不一致ならば、判断結果が「ＹＥＳ」となり、ステップＳＣ２に進み、自局番号抽出処理（図４参照）にて抽出した自局番号を発信用自局番号として発信用自局番号格納部１４ｃに記憶する。
【００３９】
続いて、ステップＳＣ３では、アドレス帳更新フラグが「１」であるか否かを判断する。アドレス帳更新フラグが「１」でなければ、判断結果は「ＮＯ」となり、本処理を終える。一方、アドレス帳更新フラグが「１」の場合、すなわち前述した自局番号抽出処理において、使用者により指定された自局番号を使用者指定自局番号格納部１４ｄから抽出したり、自局番号格納部１４ｂの内から選択した自局番号を抽出した場合には、判断結果が「ＹＥＳ」になり、ステップＳＣ４を介してアドレス帳更新処理を実行する。
【００４０】
アドレス帳更新処理では、後述するように、相手番号がアドレス帳格納部１４ａに未登録であれば、発信用自局番号格納部１４ｃに格納される発信用自局番号を、相手番号に対応付けてアドレス帳格納部１４ａに登録し、一方、相手番号に対応付けて自局番号が登録済みならば、その自局番号を発信用自局番号格納部１４ｃに格納される発信用自局番号に更新登録し、さらに同一の自局番号があれば、それらの自局番号も発信用自局番号格納部１４ｃに格納される発信用自局番号に更新登録する。この後、ステップＳＣ５に進み、アドレス帳更新フラグをゼロリセットして本処理を終える。
【００４１】
以上のように、発信用自局番号設定処理では、自局番号抽出処理（図４参照）にて抽出した自局番号と、発信用自局番号格納部１４ｃに格納される発信用自局番号とが異なると、自局番号抽出処理で抽出した自局番号を発信用自局番号格納部１４ｃに記憶する。
【００４２】
そして、アドレス帳更新フラグが「１」の場合、すなわち使用者により指定された自局番号を使用者指定自局番号格納部１４ｄから抽出したり、自局番号格納部１４ｂの内から選択した自局番号を抽出した場合には、アドレス帳更新処理を実行し、相手番号がアドレス帳格納部１４ａに未登録であれば、発信用自局番号格納部１４ｃの自局番号を相手番号に対応付けてアドレス帳格納部１４ａに登録し、相手番号に対応付けて自局番号が登録済みならば、その自局番号を、発信用自局番号格納部１４ｃに格納される発信用自局番号に更新登録する。
【００４３】
ｄ．アドレス帳更新処理の動作  
次に、図６を参照してアドレス帳更新処理の動作を説明する。上述した発信用自局番号設定処理のステップＳＣ４（図５参照）を介して本処理が実行されると、制御部１３は、図６に図示するステップＳＤ１に処理を進め、使用者により指定された相手番号がアドレス帳格納部１４ａに登録されているか否かを判断する。相手番号がアドレス帳格納部１４ａに登録されていなければ、判断結果は「ＮＯ」になり、ステップＳＤ２に進む。ステップＳＤ２では、使用者により指定された相手番号に、発信用自局番号格納部１４ｃに格納される発信用自局番号を対応付けてアドレス帳格納部１４ａに登録して本処理を終える。
【００４４】
一方、相手番号がアドレス帳格納部１４ａに登録されていれば、上記ステップＳＤ１の判断結果が「ＹＥＳ」になり、ステップＳＤ３に進む。ステップＳＤ３では、相手番号に対応付けた自局番号が記憶されているか否かを判断する。相手番号に対応付けた自局番号が記憶されていなければ、判断結果は「ＮＯ」になり、上記ステップＳＤ２に進み、発信用自局番号格納部１４ｃに格納されている発信用自局番号を相手番号に対応付けてアドレス帳格納部１４ａに登録して本処理を終える。
【００４５】
これに対し、相手番号に対応付けた自局番号が記憶されていると、上記ステップＳＤ３の判断結果が「ＹＥＳ」になり、ステップＳＤ４に進み、アドレス帳格納部１４ａの登録件数を抽出する。次いで、ステップＳＤ５では、アドレス帳データを指定するポインタレジスタＮに初期値「１」をストアする。そして、ステップＳＤ６〜ＳＤ９では、ポインタレジスタＮの値が上記ステップＳＤ４にて抽出した登録件数に達するまでポインタレジスタＮをインクリメントして歩進させながら、アドレス帳格納部１４ａから相手番号に対応付けられた自局番号を検索し、該当する自局番号が検索されると、その自局番号を発信用自局番号格納部１４ｃの発信用自局番号に更新登録する。
【００４６】
すなわち、ステップＳＤ６では、アドレス帳格納部１４ａにおいて、ポインタレジスタＮの値で指定されるＮ件目のアドレス帳データ中の自局番号が、相手番号に対応付けた自局番号に一致するか否かを判断する。一致しなければ、判断結果は「ＮＯ」になり、ステップＳＤ８に進み、ポインタレジスタＮの値が上記ステップＳＤ４にて抽出した登録件数に達したか否か、つまり検索し終えたかどうかを判断する。検索し終えていなければ、判断結果は「ＮＯ」になり、ステップＳＤ９に進み、ポインタレジスタＮをインクリメントして歩進させた後、上記ステップＳＤ６に処理を戻す。
【００４７】
そして、歩進されたポインタレジスタＮの値で指定されるＮ件目の自局番号が、相手番号に対応付けた自局番号に一致すると、上記ステップＳＤ６の判断結果が「ＹＥＳ」になり、ステップＳＤ７に進む。ステップＳＤ７では、発信用自局番号格納部１４ｃから読み出した発信用自局番号を、Ｎ件目の自局番号としてアドレス帳格納部１４ａに更新登録する。この後、ステップＳＤ８に進み、検索し終えたかどうかを判断し、検索し終えた場合には、判断結果が「ＹＥＳ」になり、本処理を終える。
【００４８】
以上のように、アドレス帳更新処理では、使用者により指定された相手番号がアドレス帳格納部１４ａに未登録ならば、その相手番号に、発信用自局番号格納部１４ｃの発信用自局番号を対応付けてアドレス帳格納部１４ａに登録し、一方、相手番号がアドレス帳格納部１４ａに登録済みであって、しかも相手番号に対応付けて自局番号が登録済みならば、その自局番号を発信用自局番号格納部１４ｃに格納される発信用自局番号に更新登録し、さらに同一の自局番号があれば、それらの自局番号も発信用自局番号格納部１４ｃに格納される発信用自局番号に更新登録する。
【００４９】
ｅ．発信用自局番号切替処理の動作  
次に、図７を参照して発信用自局番号切替処理の動作を説明する。制御部１３は、通信終了時のオンフックスイッチ操作に応じて、図７に図示する通信終了時処理を実行してステップＳＥ１に進む。そして、通信終了に応じてステップＳＥ１の判断結果が「ＹＥＳ」になり、ステップＳＥ２に進む。ステップＳＥ２では、発信用自局番号格納部１４ｃに記憶される発信用自局番号と、使用者指定自局番号格納部１４ｄに記憶される使用者指定自局番号とが不一致であるか否かを判断する。発信用自局番号と使用者指定自局番号とが一致する場合には、判断結果が「ＹＥＳ」となり、何も行わずに本処理を終えるが、不一致ならば、判断結果は「ＮＯ」になり、ステップＳＥ３に進み、使用者指定自局番号格納部１４ｄから読み出す使用者指定自局番号を、発信用自局番号として発信用自局番号格納部１４ｃに登録して本処理を終える。
【００５０】
以上説明したように、第１実施形態では、発信先の相手番号に対応付けられた自局番号がアドレス帳格納部１４ａに登録されていれば、自局番号格納部１４ｂから該当する自局番号を抽出し、抽出した自局番号と発信用自局番号格納部１４ｃに格納される発信用自局番号とが一致すれば、発信用自局番号を使用して相手番号に発信する。これにより、発信の都度、自局番号を選択する操作が不要になり、選択操作せずとも発信時に使用する自局番号を使い分けることができる。
【００５１】
また、発信先の相手番号に対応付けられた自局番号がアドレス帳格納部１４ａに登録されていなければ、使用者が指定する自局番号もしくは自局番号格納部１４ｂからユーザ選択される自局番号のいずれかを抽出し、抽出した自局番号と発信用自局番号格納部１４ｃに格納される発信用自局番号とが異なると、その抽出した自局番号を発信用自局番号格納部１４ｃに記憶する。そして、相手番号がアドレス帳格納部１４ａに未登録ならば、発信用自局番号格納部１４ｃに格納される発信用自局番号を相手番号に対応付けてアドレス帳格納部１４ａに登録し、相手番号に対応付けて自局番号が登録済みならば、自局番号を発信用自局番号格納部１４ｃに格納される発信用自局番号に更新登録し、さらに同一の自局番号があれば、それらの自局番号も発信用自局番号格納部１４ｃに格納される発信用自局番号に更新登録する。こうすることで、次回以降の発信に際して、自局番号を選択する操作が不要になり、選択操作せずとも発信時に使用する自局番号を使い分けることができる。
【００５２】
加えて、発信用自局番号格納部１４ｃに記憶される発信用自局番号と、使用者指定自局番号格納部１４ｄに記憶される使用者指定自局番号とが異なるか否かを通信終了時に判断し、双方の自局番号が異なると、使用者指定自局番号格納部１４ｄに格納される使用者指定自局番号を、発信用自局番号として発信用自局番号格納部１４ｃに登録するので、初めて通話する相手番号をアドレス帳格納部１４ａに登録する際に、使用者が指定する自局番号を相手番号に対応付けて登録することができる。そうすることにより、次回以降の発信に際して、自局番号を選択する操作が不要になり、選択操作せずとも発信時に使用する自局番号を使い分けることができる。
【００５３】
Ｂ．第２実施形態
（１）構成  
第２実施形態の全体構成は、図１に図示した第１実施形態と共通するので、その説明については省略する。第２実施形態では、図８に図示するように、加入者情報記憶部１４のアドレス帳格納部１４ａおよび自局番号格納部１４ｂのデータ構成が第１実施形態と相違する。以下では、図８を参照して第２実施形態による加入者情報記憶部１４の構成を説明する。
【００５４】
加入者情報記憶部１４は、アドレス帳格納部１４ａ、自局番号格納部１４ｂ、発信用自局番号格納部１４ｃおよび使用者指定自局番号格納部１４ｄから構成される。自局番号格納部１４ｂは、制御部１３がカードスロットＳＬ１（又はＳＬ２）を介してＵＩＭカード７−１（又は７−２）から読み出す自局番号に、スロット番号を対応付けて記憶する。アドレス帳格納部１４ａには、相手番号と、自局番号に対応して自局番号格納部１４ｂに格納されるスロット番号と、ＵＩＭカードの差替フラグ（後述する）とから構成されるアドレス帳データが記憶される。発信用自局番号格納部１４ｃには、発信に使用する発信用自局番号が記憶される。使用者指定自局番号格納部１４ｄには、予め使用者が指定した自局番号（使用者指定自局番号）が記憶される。
【００５５】
（２）動作
次に、図９〜図１０を参照して第２実施形態による動作を説明する。以下では、第１実施形態と相違する「ＵＩＭカード差替処理」、「スロット番号記憶処理」、「自局番号抽出処理」および「アドレス帳更新処理」の各動作について述べる。
【００５６】
ａ．ＵＩＭカード差替処理の動作
図９は、ＵＩＭカード差替処理の動作を示すフローチャートである。携帯電話１００に電源が投入されると、制御部１３は図９に図示するステップＳＦ１に処理を進め、ＵＩＭカードの差し替えの有無を判断する。ＵＩＭカードの差し替えが行われていなければ、判断結果は「ＮＯ」になり、何も行わずに本処理を終える。これに対し、ＵＩＭカードの差し替えが行われた場合には、判断結果が「ＹＥＳ」になり、ステップＳＦ２に進み、カードスロットＳＬ１（又はＳＬ２）を介してＵＩＭカード７−１（又は７−２）から読み出す自局番号に、スロット番号を対応付けて自局番号格納部１４ｂに記憶する。そして、ステップＳＦ３に進み、アドレス帳格納部１４ａに格納される全てのアドレス帳データの差替フラグを「１」にセットして本処理を終える。なお、全てのアドレス帳データ中の差替フラグを「１」にすることによって、ＵＩＭカードが差し替えられた状態を表す。
【００５７】
ｂ．スロット番号記憶処理の動作
次に、図１０を参照してスロット番号記憶処理の動作を説明する。スロット番号記憶処理が実行されると、制御部１３は図１０に示すステップＳＧ１に処理を進め、アドレス帳データ選択操作の有無を判断する。アドレス帳データ選択操作とは、例えばアドレス帳格納部１４ａに登録されるアドレス帳データ中の相手番号を表示部４に画面表示させ、その内から所望の相手番号を含むアドレス帳データを選択する操作を指す。使用者がこうしたアドレス帳データ選択操作を行うと、判断結果が「ＹＥＳ」になり、ステップＳＧ２に進み、選択されたアドレス帳データの内容（相手番号、スロット番号および差替フラグ）を表示部４に画面表示する。
【００５８】
続いて、ステップＳＧ３では、スロット番号と自局番号の登録操作の有無を判断する。使用者がスロット番号と自局番号の登録操作を行うと、判断結果は「ＹＥＳ」になり、ステップＳＧ４に進み、自局番号格納部１４ｂに格納されるスロット番号とそれに対応付けられた自局番号とを表示部４に一覧表示する。次いで、ステップＳＧ５では、選択操作の有無を判断する。使用者が選択操作を行うと、判断結果は「ＹＥＳ」になり、ステップＳＧ６に進み、選択されたスロット番号を、上記ステップＳＧ１において行われたアドレス帳データ選択操作で選択されたアドレス帳データのスロット番号としてアドレス帳格納部１４ａに登録する。そして、ステップＳＧ７では、上記ステップＳＧ６にてスロット番号が更新されたアドレス帳データ中の差替フラグをゼロリセットして本処理を終える。
【００５９】
ｃ．自局番号抽出処理の動作
次に、図１１を参照して自局番号抽出処理の動作を説明する。上述した第１実施形態と同様、発信時処理のステップＳＡ３（図３参照）を介して本処理が実行されると、制御部１３は、図１１に図示するステップＳＨ１に処理を進め、使用者により指定された相手番号が加入者情報記憶部１４のアドレス帳格納部１４ａに登録されているか否かを判断する。相手番号がアドレス帳格納部１４ａに登録されていなければ、判断結果は「ＮＯ」になり、後述するステップＳＨ５に進む。
【００６０】
一方、使用者により指定された相手番号がアドレス帳格納部１４ａに登録されていると、上記ステップＳＨ１の判断結果は「ＹＥＳ」になり、ステップＳＨ２に進む。ステップＳＨ２では、アドレス帳格納部１４ａにおいて、相手番号に対応付けられたスロット番号の有無を判断する。相手番号に対応付けられたスロット番号が有ると、判断結果は「ＹＥＳ」になり、ステップＳＨ３に進む。相手番号に対応付けられたスロット番号が無ければ、判断結果は「ＮＯ」になり、後述のステップＳＨ５に進む。
【００６１】
次いで、ステップＳＨ３では、使用者により指定された相手番号に対応付けられた差替フラグが「０」であるか否かを判断する。上述したスロット番号記憶処理（図１０参照）によりスロット番号がアドレス帳格納部１４ａに登録され、差替フラグが「０」にセットされていると、判断結果は「ＹＥＳ」になり、ステップＳＨ４に進み、スロット番号に対応付けて記憶されている自局番号を自局番号格納部１４ｂから抽出して本処理を終える。
【００６２】
これに対し、ＵＩＭカードの差し替えが行われ、これにより上述したＵＩＭカード差替処理（図９参照）により差替フラグが「１」にセットされていれば、上記ステップＳＨ４の判断結果は「ＮＯ」になり、ステップＳＨ５に進む。ステップＳＨ５では、使用者指定の自局番号で発信する旨を表示部４に画面表示して使用者に報知する。続いて、ステップＳＨ６では、この報知に応じた使用者の指示（キー操作）があるまで待機する。
【００６３】
そして、使用者がキー操作すると、ここでの判断結果が「ＹＥＳ」になり、ステップＳＨ７に進む。ステップＳＨ７では、使用者のキー操作が実行指示であるかどうかを判断する。実行指示であった場合、つまり使用者指定の自局番号で発信する場合には、上記ステップＳＨ７の判断結果は「ＹＥＳ」になり、ステップＳＨ８に進み、アドレス帳更新フラグを「１」にセットする。次いで、ステップＳＨ９では、加入者情報格納部１４の使用者指定自局番号格納部１４ｄから使用者指定の自局番号を抽出して本処理を終える。
【００６４】
一方、使用者のキー操作が実行指示でない場合、すなわち使用者指定の自局番号で発信しない場合には、上記ステップＳＨ７の判断結果が「ＮＯ」になり、ステップＳＨ１０に進む。ステップＳＨ１０では、加入者情報格納部１４の自局番号格納部１４ｂに記憶される自局番号を読み出して表示部４に一覧表示する。次いで、ステップＳＨ１１では、使用者が表示部４に一覧表示された自局番号の内のいずれかを選択するまで待機する。そして、使用者の選択指示に応じて、判断結果が「ＹＥＳ」になり、ステップＳＨ１２に進み、アドレス帳更新フラグを「１」にセットする。この後、ステップＳＨ１３に進み、選択された自局番号を自局番号格納部１４ｂから抽出して本処理を終える。
【００６５】
このように、自局番号抽出処理では、発信先の相手番号とそれに対応するスロット番号とがアドレス帳格納部１４ａに登録され、かつ当該スロット番号に付与される差替フラグが「０」であれば、そのスロット番号に対応付けられた自局番号を自局番号格納部１４ｂから抽出する。一方、発信先の相手番号やそれに対応するスロット番号がアドレス帳格納部１４ａに登録されていない場合、あるいは発信先の相手番号やそれに対応するスロット番号がアドレス帳格納部１４ａに登録されていても、当該スロット番号に付与される差替フラグが「１」ならば、アドレス帳の更新を指示すると共に、使用者により指定された自局番号もしくは自局番号格納部１４ｂの内から選択した自局番号のいずれかを抽出するようになっている。
【００６６】
ｄ．アドレス帳更新処理の動作
次に、図１２を参照してアドレス帳更新処理の動作を説明する。前述した第１実施形態と同様、発信用自局番号設定処理のステップＳＣ４（図５参照）を介して本処理が実行されると、制御部１３は、図１２に図示するステップＳＪ１に処理を進め、使用者により指定された相手番号が加入者情報記憶部１４のアドレス帳格納部１４ａに登録されているか否かを判断する。相手番号がアドレス帳格納部１４ａに登録されていなければ、判断結果は「ＮＯ」になり、ステップＳＪ２に進む。ステップＳＪ２では、発信用自局番号格納部１４ｃに格納される発信用自局番号と一致する自局番号に対応付けられたスロット番号を自局番号格納部１４ｂから読み出し、読み出したスロット番号を、使用者により指定された相手番号に対応付けてアドレス帳格納部１４ａに登録して本処理を終える。
【００６７】
一方、相手番号がアドレス帳格納部１４ａに登録されていると、上記ステップＳＪ１の判断結果が「ＹＥＳ」になり、ステップＳＪ３に進む。ステップＳＪ３では、相手番号に対応付けたスロット番号が記憶されているか否かを判断する。相手番号に対応付けた自局番号が記憶されていなければ、判断結果は「ＮＯ」になり、上記ステップＳＪ２に進み、発信用自局番号と一致する自局番号のスロット番号を相手番号に対応付けてアドレス帳格納部１４ａに登録して本処理を終える。
【００６８】
これに対し、相手番号に対応付けたスロット番号が記憶されていると、上記ステップＳＪ３の判断結果が「ＹＥＳ」になり、ステップＳＪ４に進み、アドレス帳格納部１４ａの登録件数を抽出する。次いで、ステップＳＪ５では、アドレス帳データを指定するポインタレジスタＮに初期値「１」をストアする。そして、ステップＳＪ６では、アドレス帳格納部１４ａにおいて、ポインタレジスタＮの値で指定されるＮ件目のアドレス帳データの差替フラグが「１」であるか否かを判断する。Ｎ件目のアドレス帳データの差替フラグが「０」の場合、すなわちＵＩＭカードの差し替えが行われていない状態では、判断結果が「ＮＯ」になり、ステップＳＪ１０に進む。
【００６９】
ステップＳＪ１０では、ポインタレジスタＮの値が上記ステップＳＪ４にて抽出した登録件数に達したか否か、つまり検索し終えたかどうかを判断する。検索し終えていなければ、判断結果は「ＮＯ」になり、ステップＳＪ１１に進み、ポインタレジスタＮをインクリメントして歩進させた後、上記ステップＳＪ６に処理を戻す。そして、歩進されたポインタレジスタＮの値で指定されるＮ件目のアドレス帳データの差替フラグが「１」であると、上記ステップＳＪ６の判断結果は「ＹＥＳ」になり、ステップＳＪ７に進む。ステップＳＪ７では、アドレス帳格納部１４ａにおいて、ポインタレジスタＮの値で指定されるＮ件目のアドレス帳データのスロット番号が、使用者に指定された相手番号に対応付けられたスロット番号に一致するか否かを判断する。一致しなければ、判断結果は「ＮＯ」になり、上述のステップＳＪ１０に進む。
【００７０】
一方、ポインタレジスタＮの値で指定されるＮ件目のアドレス帳データのスロット番号が、使用者に指定された相手番号に対応付けられたスロット番号に一致すると、上記ステップＳＪ７の判断結果が「ＹＥＳ」となり、ステップＳＪ８に進む。ステップＳＪ８では、発信用自局番号格納部１４ｃに格納される発信用自局番号と一致する自局番号に対応付けられたスロット番号を自局番号格納部１４ｂから読み出し、読み出したスロット番号をＮ件目のスロット番号としてアドレス帳格納部１４ａに更新登録する。次いで、ステップＳＪ９に進み、ポインタレジスタＮの値で指定されるＮ件目のアドレス帳データの差替フラグに「０」をセットした後、上述のステップＳＪ１０に進む。そして、ステップＳＪ１０において、ポインタレジスタＮの値が登録件数に達して検索終了すると、判断結果が「ＹＥＳ」になり、本処理を終える。
【００７１】
このように、アドレス帳更新処理では、使用者により指定された相手番号がアドレス帳格納部１４ａに未登録ならば、発信用自局番号格納部１４ｃに格納される発信用自局番号と一致する自局番号に対応付けられたスロット番号を自局番号格納部１４ｂから読み出し、読み出したスロット番号を、使用者により指定された相手番号に対応付けてアドレス帳格納部１４ａに登録する。一方、相手番号およびそれに対応付けたスロット番号がアドレス帳格納部１４ａに登録済みであっても、ＵＩＭカード差し替えが行われた状態ならば、発信用自局番号格納部１４ｃに格納される発信用自局番号と一致する自局番号に対応付けられたスロット番号を自局番号格納部１４ｂから読み出し、読み出したスロット番号を、使用者により指定された相手番号に対応付けてアドレス帳格納部１４ａに更新登録すると共に、対応する差替フラグをゼロリセットする。
【００７２】
以上のように、第２実施形態では、発信先の相手番号とそれに対応するスロット番号とがアドレス帳格納部１４ａに登録され、かつ当該スロット番号に付与される差替フラグが「０」であれば、そのスロット番号に対応付けられた自局番号を自局番号格納部１４ｂから抽出し、抽出した自局番号と発信用自局番号格納部１４ｃに格納される発信用自局番号とが一致すれば、発信用自局番号を使用して相手番号に発信する。これにより、発信の都度、自局番号を選択する操作が不要になり、選択操作せずとも発信時に使用する自局番号を使い分けることができる。
【００７３】
また、発信先の相手番号やそれに対応するスロット番号がアドレス帳格納部１４ａに登録されていない場合、あるいは発信先の相手番号やそれに対応するスロット番号がアドレス帳格納部１４ａに登録済みであっても、ＵＩＭカード差し替えによって、対応する差替フラグが「１」にセットされている場合には、アドレス帳の更新を指示すると共に、使用者により指定された自局番号もしくは自局番号格納部１４ｂの内から選択した自局番号のいずれかを抽出し、抽出した自局番号と発信用自局番号格納部１４ｃに格納される発信用自局番号とが異なると、その抽出した自局番号を発信用自局番号格納部１４ｃに記憶する。
【００７４】
そして、使用者により指定された相手番号がアドレス帳格納部１４ａに未登録ならば、発信用自局番号格納部１４ｃに格納される発信用自局番号と一致する自局番号に対応付けられたスロット番号を自局番号格納部１４ｂから読み出し、読み出したスロット番号を、使用者により指定された相手番号に対応付けてアドレス帳格納部１４ａに登録する。
【００７５】
また、相手番号およびそれに対応付けたスロット番号がアドレス帳格納部１４ａに登録済みであっても、ＵＩＭカード差し替えが行われた状態ならば、発信用自局番号格納部１４ｃに格納される発信用自局番号と一致する自局番号に対応付けられたスロット番号を自局番号格納部１４ｂから読み出し、読み出したスロット番号を、使用者により指定された相手番号に対応付けてアドレス帳格納部１４ａに更新登録すると共に、対応する差替フラグをゼロリセットする。こうすることで、次回以降の発信に際して、自局番号を選択する操作が不要になり、選択操作せずとも発信時に使用する自局番号を使い分けることができる。
【図面の簡単な説明】
【００７６】
【図１】本発明の第１実施形態の構成を示すブロック図である。
【図２】加入者情報記憶部１４の構成を示す図である。
【図３】発信時処理の動作を示すフローチャートである。
【図４】自局番号抽出処理の動作を示すフローチャートである。
【図５】発信用自局番号設定処理の動作を示すフローチャートである。
【図６】アドレス帳更新処理の動作を示すフローチャートである。
【図７】発信用自局番号切替処理の動作を示すフローチャートである。
【図８】第２実施形態による加入者情報記憶部１４の構成を示す図である。
【図９】第２実施形態によるＵＩＭカード差替処理の動作を示すフローチャートである。
【図１０】第２実施形態によるスロット番号記憶処理の動作を示すフローチャートである。
【図１１】第２実施形態による自局番号抽出処理の動作を示すフローチャートである。
【図１２】第２実施形態によるアドレス帳更新処理の動作を示すフローチャートである。
【符号の説明】
【００７７】
２  アンテナ
３  スピーカ
４  表示部
５  キー入力部
６  マイク
７  メモリカード
８  カメラ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  ドライバ
１９  ドライバ
２０  ドライバ
２１  入出力インタフェース
１００  携帯電話
【図１】
2007221281.tif 000003
【図２】
2007221281.tif 000004
【図３】
2007221281.tif 000005
【図４】
2007221281.tif 000006
【図５】
2007221281.tif 000007
【図６】
2007221281.tif 000008
【図７】
2007221281.tif 000009
【図８】
2007221281.tif 000010
【図９】
2007221281.tif 000011
【図１０】
2007221281.tif 000012
【図１１】
2007221281.tif 000013
【図１２】
2007221281.tif 000014
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
複数の自局番号を選択的に使用する携帯無線端末において、
相手番号と自局番号とを対応付けた番号情報を記憶する番号情報記憶手段と、
相手番号に発信指示する発信指示手段と、
前記複数の自局番号のいずれかの自局番号を使用して前記発信指示手段が発信指示した相手番号に発信する発信手段と、
前記発信指示手段が発信指示した相手番号が前記番号情報記憶手段に記憶されているか否かを判別する判別手段と、
前記判別手段により記憶されていると判別された場合に、当該相手番号に対応付けられた自局番号を検索する検索手段と、
前記検索手段により検索された自局番号を使用して前記発信指示手段が発信指示した相手番号に発信するように前記発信手段を制御する第１制御手段と、
を具備することを特徴とする携帯無線端末。
【請求項２】
複数の自局番号を記憶する自局番号記憶手段と、
前記自局番号記憶手段に記憶される複数の自局番号のいずれかを選択する選択手段と、
前記選択手段により選択された自局番号を使用して前記発信指示手段が発信指示した相手番号に発信するように前記発信手段を制御する第２制御手段と、
前記発信指示手段が発信指示した相手番号と前記選択手段により選択された自局番号とを対応付けた番号情報を前記番号情報記憶手段に登録する番号情報登録手段と、  をさらに具備し、
前記選択手段は、前記判別手段により相手番号が記憶されていないと判別された場合、あるいは、前記検索手段により自局番号が検索されない場合に、前記自局番号記憶手段に記憶される複数の自局番号のいずれかを選択することを特徴とする請求項１記載の携帯無線端末。
【請求項３】
複数の自局番号を記憶する自局番号記憶手段と、
前記自局番号記憶手段に記憶される複数の自局番号のいずれかを選択する選択手段と、
前記選択手段により選択された自局番号を使用して前記発信指示手段が発信指示した相手番号に発信するように前記発信手段を制御する第２制御手段と、
前記番号情報記憶手段に記憶される番号情報の内、前記検索手段により検索された自局番号と同一の自局番号を、前記選択手段により選択された自局番号に更新登録する更新登録手段と、
をさらに具備し、
前記選択手段は、前記検索手段により検索された自局番号が前記自局番号記憶手段に記憶される複数の自局番号に含まれていなければ、前記自局番号記憶手段に記憶される複数の自局番号のいずれかを選択することを特徴とする請求項１記載の携帯無線端末。
【請求項４】
前記選択手段は、前記自局番号記憶手段に記憶される複数の自局番号の内、使用者によって指定された自局番号を選択することを特徴とする請求項２又は３記載の携帯無線端末。
【請求項５】
自局番号と、当該自局番号を記録した記録媒体を指定するスロット番号とを対応付けて記憶する記憶手段を備え、この記憶手段に記憶される自局番号とスロット番号との対応関係を参照して自局番号をスロット番号で識別することを特徴とする請求項１乃至４のいずれかに記載の携帯無線端末。
【請求項６】
複数の自局番号を選択的に使用する携帯無線端末の処理プログラムであって、
相手番号と自局番号とを対応付けた番号情報を記憶する番号情報記憶処理と、
相手番号に発信指示する発信指示処理と、
前記複数の自局番号のいずれかの自局番号を使用して前記発信指示処理にて発信指示した相手番号に発信する発信処理と、
前記発信指示処理にて発信指示した相手番号が前記番号情報記憶処理にて記憶されているか否かを判別する判別処理と、
前記判別処理により記憶されていると判別された場合に、当該相手番号に対応付けられた自局番号を検索する検索処理と、
前記検索処理により検索された自局番号を使用して前記発信指示処理にて発信指示した相手番号に発信するように前記発信処理を制御する第１制御処理と、
をコンピュータで実行させることを特徴とする携帯無線端末の処理プログラム。
【手続補正２】
【補正対象書類名】明細書
【補正対象項目名】０００６
【補正方法】変更
【補正の内容】
【０００６】
上記目的を達成するため、請求項１に記載の発明では、複数の自局番号を選択的に使用する携帯無線端末において、
相手番号と自局番号とを対応付けた番号情報を記憶する番号情報記憶手段と、
相手番号に発信指示する発信指示手段と、
前記複数の自局番号のいずれかの自局番号を使用して前記発信指示手段が発信指示した相手番号に発信する発信手段と、
前記発信指示手段が発信指示した相手番号が前記番号情報記憶手段に記憶されているか否かを判別する判別手段と、
前記判別手段により記憶されていると判別された場合に、当該相手番号に対応付けられた自局番号を検索する検索手段と、
前記検索手段により検索された自局番号を使用して前記発信指示手段が発信指示した相手番号に発信するように前記発信手段を制御する第１制御手段と、
を具備することを特徴とする。
【手続補正３】
【補正対象書類名】明細書
【補正対象項目名】０００７
【補正方法】変更
【補正の内容】
【０００７】
上記請求項１に従属する請求項２に記載の発明では、複数の自局番号を記憶する自局番号記憶手段と、
前記自局番号記憶手段に記憶される複数の自局番号のいずれかを選択する選択手段と、
前記選択手段により選択された自局番号を使用して前記発信指示手段が発信指示した相手番号に発信するように前記発信手段を制御する第２制御手段と、
前記発信指示手段が発信指示した相手番号と前記選択手段により選択された自局番号とを対応付けた番号情報を前記番号情報記憶手段に登録する番号情報登録手段と、  をさらに具備し、
前記選択手段は、前記判別手段により相手番号が記憶されていないと判別された場合、あるいは、前記検索手段により自局番号が検索されない場合に、前記自局番号記憶手段に記憶される複数の自局番号のいずれかを選択することを特徴とする。
【手続補正４】
【補正対象書類名】明細書
【補正対象項目名】０００８
【補正方法】変更
【補正の内容】
【０００８】
上記請求項１に従属する請求項３に記載の発明では、複数の自局番号を記憶する自局番号記憶手段と、
前記自局番号記憶手段に記憶される複数の自局番号のいずれかを選択する選択手段と、
前記選択手段により選択された自局番号を使用して前記発信指示手段が発信指示した相手番号に発信するように前記発信手段を制御する第２制御手段と、
前記番号情報記憶手段に記憶される番号情報の内、前記検索手段により検索された自局番号と同一の自局番号を、前記選択手段により選択された自局番号に更新登録する更新登録手段と、
をさらに具備し、
前記選択手段は、前記検索手段により検索された自局番号が前記自局番号記憶手段に記憶される複数の自局番号に含まれていなければ、前記自局番号記憶手段に記憶される複数の自局番号のいずれかを選択することを特徴とする。
【手続補正５】
【補正対象書類名】明細書
【補正対象項目名】０００９
【補正方法】変更
【補正の内容】
【０００９】
上記請求項２又は３記載に従属する請求項４に記載の発明では、前記選択手段は、前記自局番号記憶手段に記憶される複数の自局番号の内、使用者によって指定された自局番号を選択することを特徴とする。
【手続補正６】
【補正対象書類名】明細書
【補正対象項目名】００１０
【補正方法】変更
【補正の内容】
【００１０】
上記請求項１乃至４のいずれかに従属する請求項５に記載の発明では、自局番号と、当該自局番号を記録した記録媒体を指定するスロット番号とを対応付けて記憶する記憶手段を備え、この記憶手段に記憶される自局番号とスロット番号との対応関係を参照して自局番号をスロット番号で識別することを特徴とする。
【手続補正７】
【補正対象書類名】明細書
【補正対象項目名】００１１
【補正方法】変更
【補正の内容】
【００１１】
請求項６に記載の発明では、複数の自局番号を選択的に使用する携帯無線端末の処理プログラムであって、
相手番号と自局番号とを対応付けた番号情報を記憶する番号情報記憶処理と、
相手番号に発信指示する発信指示処理と、
前記複数の自局番号のいずれかの自局番号を使用して前記発信指示処理にて発信指示した相手番号に発信する発信処理と、
前記発信指示処理にて発信指示した相手番号が前記番号情報記憶処理にて記憶されているか否かを判別する判別処理と、
前記判別処理により記憶されていると判別された場合に、当該相手番号に対応付けられた自局番号を検索する検索処理と、
前記検索処理により検索された自局番号を使用して前記発信指示処理にて発信指示した相手番号に発信するように前記発信処理を制御する第１制御処理と、
をコンピュータで実行させることを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明によれば、発信の都度、自局番号を選択する操作が不要になり、選択操作せずとも発信時に使用する自局番号を使い分けることができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】